(57)【要約】【課題】本発明は、薄型小型を確保し、可搬性が高く読取容易な画像読取表示装置を提供することを目的とする。【解決手段】本発明は、二次元配列された光電変換機能を有する画像読取部３と、画像読取部３で読み取られた画像を表示する表示部２を有し、画像読取部３が前記表示部２に蓋状に被せることができるとともに、画像読取部３の読み取り面が表示部２との合わせ面に存在し、有機光電変換素子により薄型かつ透過性の高い画像読取部３を形成して読取画像の視認を可能とする構成とする。【選択図】図１
2005115661.tif 000002
【特許請求の範囲】
【請求項１】
二次元配列された光電変換機能を有する画像読取部と、
前記画像読取部で読み取られた画像を表示する表示部を有し、
読取対象物が前記画像読取部と前記表示部の間に挟持されて画像が読み取られることを特徴とする画像読取表示装置。
【請求項２】
二次元配列された光電変換機能を有する画像読取部と、
前記画像読取部で読み取られた画像を表示する表示部を有し、
前記画像読取部が前記表示部に対向するとともに、画像読取部の読み取り面が表示部との合わせ面に存在し、前記表示部が読取対象物の設置台を兼用することを特徴とする画像読取表示装置。
【請求項３】
前記画像読取部と前記表示部の一部が開閉可能な状態で接続されており、画像読取部を表示部に対して見開き可能であることを特徴とする請求項２に記載の画像読取表示装置。
【請求項４】
前記画像読取部が、湾曲柔軟性のあるシート状であることを特徴とする請求項１〜３いずれか１に記載の画像読取表示装置。
【請求項５】
前記画像読取部が、透過性を有することを特徴とする請求項１〜４いずれか１に記載の画像読取表示装置。
【請求項６】
前記画像読取部が、二次元配列された光電変換素子とマイクロレンズアレイで構成されたことを特徴とする請求項１〜５いずれか１記載の画像読取表示装置。
【請求項７】
前記画像読取部において、前記表示部と接触しない外側面に発光層が設けられたことを特徴とする請求項１〜６いずれか１記載の画像読取表示装置。
【請求項８】
前記画像読取部において、前記表示部と接触しない外側面にタッチパネル面が設けられたことを特徴とする請求項１〜７いずれか１記載の画像読取表示装置。
【請求項９】
前記画像読取部が、樹脂シート状に有機光電変換素子が積層されたシートから形成されたことを特徴とする請求項１〜８いずれか１記載の画像読取表示装置。
【請求項１０】
前記画像読取部と前記表示部との間に原稿を支える原稿支え部が設けられたことを特徴とする請求項１〜９いずれか１に記載の画像読取表示装置。
【請求項１１】
前記表示部の一部のみを前記画像読取部が被さるとともに、前記画像読取部で読み取られた画像が前記表示部の残余の部分で表示されることを特徴とする請求項１〜１０いずれか１記載の画像読取表示装置。
【請求項１２】
前記画像読取部において、前記表示部と接触しない外側面に保護シートが設けられたことを特徴とする請求項１〜１１いずれか１記載の画像読取表示装置。
【請求項１３】
前記表示部が装着形状に合わせた形状を有し、前記画像読取部が前記形状に合わせて被さることが可能なシート状であることを特徴とする請求項１〜１２いずれか１記載の画像読取表示装置。
【請求項１４】
二次元配列された光電変換機能をもつ読取面を表裏両面に有する画像読取部と、
前記画像読取部で読み取られた画像を表示する表示部を有し、
前記表示部では前記画像読取部の両面に設けられた読取面で読み取られた画像の双方を表示部面で分割して表示することを特徴とする画像読取表示装置。
【請求項１５】
前記表裏両面に読み取り面を有する画像読取部が、前記表示部とその側面を接して接続されていることを特徴とする請求項１４に記載の画像読取表示装置。
【請求項１６】
前記表裏両面に読み取り面を有する画像読取部が、前記表示部に設けられた収納部に収納可能かつ取り出し可能であることを特徴とする請求項１５に記載の画像読取装置。
【請求項１７】
請求項１〜１６いずれか１記載の画像読取表示装置と、
読取画像もしくは表示画像もしくはそのすべてを電子データに変換するデータ変換部と、
変換された電子データを送信する送信部と、
前記データ変換やデータ送信を制御する制御部を有することを特徴とする画像読取表示機能付情報端末。
【請求項１８】
前記データ変換部において、画像読取部で読み取られた画像以外の任意の情報を付加して電子データに変換し、前記送信部より送信することを特徴とする請求項１７に記載の画像読取表示機能付情報端末。
【請求項１９】
前記任意の付加情報が、予め表示部に表示されているデータであって、このデータと読み取られた画像データを合わせて電子データ変換され送信されることを特徴とする請求項１８に記載の画像読取表示機能付情報端末。
【発明の詳細な説明】
【技術分野】
【０００１】
本発明は、薄型軽量で可搬性の高い画像読取表示装置に関する。
【背景技術】
【０００２】
近年、出先などにおいて書類などを読み取って表示させる画像読取表示装置が用いられる。また、読み取った画像データをサーバーなどに送信して管理することなどが行われることも多い。
【０００３】
ここで、可搬性を確保した画像読取装置は、パソコンに接続した状態で使用し、ライン型のイメージセンサを搭載した構成で、イメージセンサを原稿上で手動もしくは駆動機構でなぞって読み取る、または、原稿をローラー等で搬送させて読取るような、情報処理装置を中心として、周辺装置としての画像読取装置を接続して利用する形態のものがある（例えば特許文献１参照）。
【０００４】
また、（特許文献１）に記載のように、画像読取と表示が一体化された装置では、表示装置の裏面に画像読み取り用スキャナを一体的に構成し、システムの小型軽量化を図っているものが多い。
【０００５】
もしくは、スキャナを付属した液晶ディスプレイ（例えば、特許文献２、３参照）や、表示装置の端部にライン式のイメージセンサ（ＣＩＳ）を設けた上で、ローラーで原稿を搬送させて読み取るなどの装置が存在する（例えば特許文献４参照）。
【０００６】
図１７、図１８は従来の技術における画像読取表示装置の構成図である。
【０００７】
１００は画像読取表示装置、１０１は表示部、１０２は原稿、１０３は挿入部、１０４はローラー部、１０５は画像読取部である。
【０００８】
図１７の画像読取表示装置では、原稿１０２が挿入部１０３に挿入され、ローラー１０４の駆動により原稿を移動させて、画像読取部１０５において読み取った情報を、画像情報として表示部１０１に表示する。図１８の画像読取表示装置では、装置の裏面に設けられた画像読取部１０５の下面に存在する原稿１０２を二次元配列のイメージセンサで読み取って、読み取った画像を表示部１０１において表示する。
【特許文献１】特開２００３−８７４６６号公報
【特許文献２】特開平５−１００６４５号公報
【特許文献３】特開平７−３２２０１２号公報
【特許文献４】特開２００１−７７９７７号公報
【発明の開示】
【発明が解決しようとする課題】
【０００９】
しかしながら、上記のようにローラーで原稿を搬送させる駆動機構を有する画像読取表示装置では、駆動部の存在により装置の薄型化が困難となる問題があった。
【００１０】
また、ライン型イメージセンサを原稿の上で手動で動作させたり、駆動させたりするものでは、走査領域が狭くなる問題があり、走査領域を広くすると大型化して可搬性と操作性が劣る問題があった。
【００１１】
更に、裏面にイメージセンサを設けた画像読取表示装置では、表示部と読取部が剥き出
しであるため、装置搬送時に損傷が生じやすく、可搬性に劣るという問題があった。
【００１２】
更に、厚みのある書籍などの湾曲した紙面を読み取ることが困難であるという問題もあった。
【００１３】
すなわち、従来の方式による画像読取表示装置では、薄型化、小型化、読取領域の確保、操作性の向上、可搬性の確保という点をすべて同時に満足させることが困難であるという問題があった。
【００１４】
本発明は、上記した課題に鑑み、薄型小型を確保し、可搬性が高く読取容易な画像読取表示装置を提供することを目的とする。
【課題を解決するための手段】
【００１５】
本発明は、二次元配列された光電変換機能を有する画像読取部と、画像読取部で読み取られた画像を表示する表示部を有し、画像読取部が表示部に蓋状に被せることができるとともに、画像読取部の読み取り面が表示部との合わせ面に存在する構成とする。
【発明の効果】
【００１６】
本発明の画像入力表示装置は、二次元配列の光電変換機能を有する画像読取部と表示部を合わせる構造としてその間に原稿を挿入することで、画像読取のためにイメージセンサを手動で動作させるなどが不要で、操作性を向上させることができる。また、原稿読み取りのための駆動機構などが不要とできるので、小型化、薄型化が実現される。更に、読取面と表示面が向き合わされることで、運搬時などにそれぞれが損傷することがなくなり、可搬性や耐久性が向上する。
【００１７】
また、原稿を表示部と画像読取部の間に挟んで読み取るため、表示部を読取時の光源として利用することができ、照明光を変化させることで多様な読み取りが可能となる効果がある。
【００１８】
シート状の湾曲柔軟な画像読取部を用いることで、書籍などの湾曲した書面の読み取りが容易になるという効果がある。
【００１９】
さらに、画像読取部が透過性を有しており、画像読取部が表示部との合わせ面に存在するため、セッティングされた原稿の読取面が上面を向くことになり、目視での視認が容易となる効果があり、外部光を光源として利用できる効果もある。
【００２０】
更に、人間の腕や足などの形状にフィットする表示部とこれに柔軟に対応するシート状の画像読取部によって、ウェアラブルな装置とすることができる。
【００２１】
また、通信装置を組み込むことで、読取画像のデータを送信して、情報端末として利用することも容易に可能である。
【発明を実施するための最良の形態】
【００２２】
本発明の請求項１に記載の発明は、二次元配列された光電変換機能を有する画像読取部と、画像読取部で読み取られた画像を表示する表示部を有し、読取対象物が画像読取部と表示部の間に挟持されて画像が読み取られることを特徴とする画像読取表示装置であって、小型薄型を維持した状態で容易に原稿などを読み取ることが可能となる。また、原稿を画像読取部と表示部とに挟んで読み取ることができるため、可搬性や耐久性が向上する。
【００２３】
本発明の請求項２に記載の発明は、二次元配列された光電変換機能を有する画像読取部
と、画像読取部で読み取られた画像を表示する表示部を有し、画像読取部が表示部に対向するとともに、画像読取部の読み取り面が表示部との合わせ面に存在し、表示部が読取対象物の設置台を兼用することを特徴とする画像読取表示装置であって、原稿を設置した設置台がそのまま表示部となるため小型薄型が実現でき、原稿を挟んで読み取った後に、原稿を外して読み取った画像を表示部に表示した状態とすることができる。
【００２４】
本発明の請求項３に記載の発明は、画像読取部と表示部の一部が開閉可能な状態で接続されており、画像読取部を表示部に対して見開き可能であることを特徴とする請求項２に記載の画像読取表示装置であって、容易に読取対象物を画像読取部と表示部の間に狭持することができ、閉じた状態では可搬性に優れ、表示部の表示面や画像読取部の読取面の損傷を低減させることができる。
【００２５】
本発明の請求項４に記載の発明は、画像読取部が、湾曲柔軟性のあるシート状であることを特徴とする請求項１〜３いずれか１に記載の画像読取表示装置であって、読取対象の原稿の表面の凸凹に読取面が対応することが可能となり、読み取り精度が向上する。また薄型化、軽量化も促進される。
【００２６】
本発明の請求項５に記載の発明は、画像読取部が、透過性を有することを特徴とする請求項１〜４いずれか１に記載の画像読取表示装置であって、読取対象の原稿面を読取時に直接視認することが可能となる。
【００２７】
本発明の請求項６に記載の発明は、画像読取部が、二次元配列された光電変換素子とマイクロレンズアレイで構成されたことを特徴とする請求項１〜５いずれか１記載の画像読取表示装置であって、精度の高い画像読取部を構成することができる。
【００２８】
本発明の請求項７に記載の発明は、画像読取部において、表示部と接触しない外側面に発光層が設けられたことを特徴とする請求項１〜６いずれか１記載の画像読取表示装置であって、画像読取面に発行層を兼用させることで薄型化が図られ、更に光電変換素子での変換精度を向上させることができる。
【００２９】
本発明の請求項８に記載の発明は、画像読取部において、表示部と接触しない外側面にタッチパネル面が設けられたことを特徴とする請求項１〜７いずれか１記載の画像読取表示装置であって、読取時に所望の命令処理を実行することができる。
【００３０】
本発明の請求項９に記載の発明は、画像読取部が、樹脂シート状に有機光電変換素子が積層されたシートから形成されたことを特徴とする請求項１〜８いずれか１記載の画像読取表示装置であって、薄型で湾曲柔軟性があり、透過性のある画像読取部を実現することができる。
【００３１】
本発明の請求項１０に記載の発明は、であって、画像読取部と表示部との間に原稿を支える原稿支え部が設けられたことを特徴とする請求項１〜９いずれか１に記載の画像読取表示装置であって、表示部を視認可能状態にした上で、原稿支え部と画像読取部に挟まれた原稿の読取画像の表示が可能である。
【００３２】
本発明の請求項１１に記載の発明は、表示部の一部のみを画像読取部が被さるとともに、画像読取部で読み取られた画像が表示部の残余の部分で表示されることを特徴とする請求項１〜１０いずれか１記載の画像読取表示装置であって、画像読み取りと画像表示を同時実行することができる。
【００３３】
本発明の請求項１２に記載の発明は、画像読取部において、表示部と接触しない外側面
に保護シートが設けられたことを特徴とする請求項１〜１１いずれか１記載の画像読取表示装置であって、画像読取部を運搬時などに十分に保護することが可能となる。
【００３４】
本発明の請求項１３に記載の発明は、表示部が装着形状に合わせた形状を有し、画像読取部が形状に合わせて被さることが可能なシート状であることを特徴とする請求項１〜１２いずれか１記載の画像読取表示装置であって、ウェアラブル状態の画像読取表示装置とすることが可能となる。
【００３５】
本発明の請求項１４に記載の発明は、二次元配列された光電変換機能をもつ読取面を表裏両面に有する画像読取部と、画像読取部で読み取られた画像を表示する表示部を有し、表示部では画像読取部の両面に設けられた読取面で読み取られた画像の双方を表示部面で分割して表示することを特徴とする画像読取表示装置であって、書籍などの内部に画像読取部を差し込んで、見開き部分を一度に読み取って表示することが可能となる。
【００３６】
本発明の請求項１５に記載の発明は、表裏両面に読み取り面を有する画像読取部が、表示部とその側面を接して接続されていることを特徴とする請求項１４に記載の画像読取表示装置であって、書籍などへの画像読取部の挿入が容易となる。
【００３７】
本発明の請求項１６に記載の発明は、表裏両面に読み取り面を有する画像読取部が、表示部に設けられた収納部に収納可能かつ取り出し可能であることを特徴とする請求項１５に記載の画像読取装置であって、小型化や可搬性の向上が実現される。
【００３８】
本発明の請求項１７に記載の発明は、請求項１〜１６いずれか１記載の画像読取表示装置と、読取画像もしくは表示画像もしくはそのすべてを電子データに変換するデータ変換部と、変換された電子データを送信する送信部と、データ変換やデータ送信を制御する制御部を有する画像読取表示機能付情報端末であって、読取画像をサーバーなどへ送信して読取画像の通信を実現することができる。
【００３９】
本発明の請求項１８に記載の発明は、データ変換部において、画像読取部で読み取られた画像以外の任意の情報を付加して電子データに変換し、送信部より送信することを特徴とする請求項１７に記載の画像読取表示機能付情報端末であって、多数の情報に基づいた読取画像の情報をまとめて通信することが可能で、例えば宅配業界などでの携帯情報端末としての使用が容易に実現される。
【００４０】
本発明の請求項１９に記載の発明は、であって、任意の付加情報が、予め表示部に表示されているデータであって、このデータと読み取られた画像データを合わせて電子データ変換され送信されることを特徴とする請求項１８に記載の画像読取表示機能付情報端末。
【００４１】
以下、図面を用いて説明する。
【００４２】
（実施の形態１）
図１（ａ）、図１（ｂ）は、本発明の実施の形態１における画像読取表示装置の斜視図、図２は本発明の実施の形態１における画像読取表示装置の正面図であり、図３は図２のｘ−ｘ’線部の断面図であり、図４は本発明の実施の形態１における画像読取表示装置の内部ブロック図である。
【００４３】
１は画像読取表示装置、２は表示部、３は画像読取部、３ｂは原稿支え部、４は原稿である。なお、図１などでは、操作用に用いられるスイッチなどは図示していないが、実際においては必要に応じてこれらが配置されているものである。
【００４４】
表示部２は液晶ディスプレイなどのパネルディスプレイであり、液晶以外であってもプラズマ方式のディスプレイなどであっても良い。また、液晶であってもプラズマ方式であっても薄型を実現できるものが望ましい。表示部２では画像読取部３で読み取られた画像が表示されるが、これ以外に予め設定された内容が表示されることもよい。例えば、日時や表題などが予め表示されるなどである。
【００４５】
画像読取部３は表示部２に蓋状に被さるように構成されており、その一端が接続されており、その接続辺を基点として、画像読取部３を見開き状に開閉されることが可能である。また、画像読取装置３における画像読取面は表示部２との合わせ面に存在し、表示部２と画像読取部３に挟まれた原稿のうち、画像読取部３の読取面に接触する面が読み取られることになる。
【００４６】
画像読取装置３は、有機光電変換素子をシート状に積層した薄く、湾曲柔軟性のあるデバイスで構成される。また、光電変換素子が二次元配列されており、二次元に画像読み取りする二次元イメージセンサとなっている。したがって、画像読み取りに際して、ラインセンサ等で必要となる機械駆動部が不要となり、セッティングされた原稿全体を二次元的に即座に読み取ることが可能である。湾曲柔軟性のあるシート状の画像読取部２により、書籍などの厚みのある原稿であっても、浮きなどの問題なく読み取ることが可能となる。これは有機ＥＬなどの有機光電変換素子を用いることで、薄いシート状にイメージセンサを積層することができることにより実現されるものであり、従来の半導体をもちいた光電変換素子では実現ができなかったものである。また、このような有機光電変換素子を用いることで、透過性のある画像読取部３を形成することが可能となる。透過性があることで、図２に示されるように、セッティングされた原稿の読取面が上面を向くことになり、ユーザーによる視認が容易になる。特に、画像読取面が表示部２との合わせ面に存在するので、画像読取時には必ず原稿４の読取面が上面を向くことになることにより、透過性のある画像読取部２と相まって容易な視認が実現される。
【００４７】
また、図１（ｂ）に示されるように原稿支え台３ｂと画像読取部３との間に原稿を挟んで、画像読取部３で画像を読み取って、同時に原稿でふさがれていない表示部２に同時表示することも好適である。このようにすることで、画像読取をしながら、読み取った画像の表示を同時に視認することが可能となり、一つの画像読取表示装置を例えば多人数に対するプレゼンテーションに用いるなどの場合にも効果的である。
【００４８】
ここで、有機光電変換素子について説明する。有機光電変換素子の基本となる構成は、少なくとも２つの電極間に光電変換領域を備えていればよく、これらの素子構成を支持するための基板を備えるものである。なお、電極は陽極と陰極であり、光電変換領域は少なくとも電子供与性材料と電子受容性材料とを含む構成である。また、光電変換領域は、電子供与性材料からなる領域と、電子受容性材料からなる領域とが積層された構成、或いは、電子供与性材料と電子受容性材料とが混合された構成、更に、電子供与性材料からなる領域に、電子受容性材料が含まれる構成等いずれの構成であってもよい。
【００４９】
光電変換素子は通常２つの電極間に光電変換領域を有する構成をとるが、光電変換を行うためには電極のうち少なくとも一つは光を透過する必要があり、この透過率が光電変換特性に大きく影響する。
【００５０】
そのため光電変換素子の陽極としては、ＩＴＯ、ＡＴＯ（ＳｂをドープしたＳｎＯ2）、ＡＺＯ（ＡｌをドープしたＺｎＯ）等をスパッタリング法や、イオンビーム蒸着法等によって成膜したいわゆる一般に透明電極と呼ばれるものが用いられる。
【００５１】
また、本発明の情報読み取り素子の受光部としての光電変換素子に用いられる陰極は、
発生した電荷を外部回路に効率良く取り出すだけではなく、受光部の少なくとも一部分が光透過性を有する必要があるため、Ａｌ、Ａｕ、Ｃｒ、Ｃｕ、Ｉｎ、Ｍｇ、Ｎｉ、Ｓｉ、Ｔｉ等の金属や、Ｍｇ−Ａｇ合金、Ｍｇ−Ｉｎ合金等のＭｇ合金や、Ａｌ−Ｌｉ合金、Ａｌ−Ｓｒ合金、Ａｌ−Ｂａ合金等のＡｌ合金等の薄膜が用いられる。また短絡電流の改善を図るため、有機層と陰極との間に金属酸化物、金属弗化物等の薄膜を導入する手法も好適に用いられる。さらにはＩＴＯ、ＡＴＯ、ＡＺＯ等を使用することも可能である。
【００５２】
また陽極、陰極共に低抵抗の金属材料等で構成される補助電極を設けることによって、塗布型のＩＴＯをはじめ、ポリチオフェン（ｐｏｌｙ（ｅｔｈｙｌｅｎｅｄｉｏｘｙ）ｔｉｏｐｈｅｎｅ、以下、ＰＥＤＯＴと略す。)、ポリフェニレンビニレン（以下、ＰＰＶと略す。）、ポリフルオレン等の導電性高分子化合物等、比較的抵抗の高い材料を用いることもできる。その際、これらの材料と補助電極とは併設、或いは積層される。
【００５３】
電子供与性材料としては、メトキシ−エチルヘキソシキ−ポリフェニレンビニレン（ＭＥＨ−ＰＰＶ）等のフェニレンビニレン、フルオレン、カルバゾール、インドール、ピレン、ピロール、ピコリン、チオフェン、アセチレン、ジアセチレン等の重合体や、その誘導体等、これら有機高分子材料が好適に用いられる。
【００５４】
また、これら高分子に限定されるものではなく、例えばポルフィン、テトラフェニルポルフィン銅、フタロシアニン、銅フタロシアニン、チタニウムフタロシアニンオキサイド等のポリフィリン化合物や、１，１−ビス｛４−（ジ−Ｐ−トリルアミノ）フェニル｝シクロヘキサン、４，４'，４''−トリメチルトリフェニルアミン、Ｎ，Ｎ，Ｎ'，Ｎ'−テトラキス（Ｐ−トリル）−Ｐ−フェニレンジアミン、１−（Ｎ，Ｎ−ジ−Ｐ−トリルアミノ）ナフタレン、４，４'−ビス（ジメチルアミノ）−２−２'−ジメチルトリフェニルメタン、Ｎ，Ｎ，Ｎ'，Ｎ'−テトラフェニル−４，４'−ジアミノビフェニル、Ｎ、Ｎ'−ジフェニル−Ｎ、Ｎ'−ジ−ｍ−トリル−４、４'−ジアミノビフェニル、Ｎ−フェニルカルバゾ−ル等の芳香族第三級アミンや、４−ジ−Ｐ−トリルアミノスチルベン、４−（ジ−Ｐ−トリルアミノ）−４'−〔４−（ジ−Ｐ−トリルアミノ）スチリル〕スチルベン等のスチルベン化合物や、トリアゾール誘導体や、オキサジザゾール誘導体や、イミダゾール誘導体や、ポリアリールアルカン誘導体や、ピラゾリン誘導体や、ピラゾロン誘導体や、フェニレンジアミン誘導体や、アニールアミン誘導体や、アミノ置換カルコン誘導体や、オキサゾール誘導体や、スチリルアントラセン誘導体や、フルオレノン誘導体や、ヒドラゾン誘導体や、シラザン誘導体や、ポリシラン系アニリン系共重合体や、高分子オリゴマーや、スチリルアミン化合物や、芳香族ジメチリディン系化合物や、ポリ３−メチルチオフェン等も用いられる。
【００５５】
電子受容性材料としては、Ｃ６０、Ｃ７０をはじめとするフラーレン類やカーボンナノチューブ、及びそれらの誘導体や、１，３−ビス（４−ｔｅｒｔ−ブチルフェニル−１，３，４−オキサジアゾリル）フェニレン（ＯＸＤ−７）等のオキサジアゾール誘導体、アントラキノジメタン誘導体、ジフェニルキノン誘導体等の電子受容性有機材料が用いられる。
【００５６】
また、電極と光電変換領域との界面を平坦化させるために、電極と光電変換領域との間にバッファ層を設けてもよい。バッファ層としては、ＰＥＤＯＴ等が用いられる。
【００５７】
なお、２次元イメージセンサには画素毎に対応させたマイクロレンズや画素より十分小さく画素数の２倍以上の数のマイクロレンズを表面に形成することで、原稿の折れやしわによる原稿面までの距離バラツキに対する読取り性能の維持のための反射光や照明光の利用効率を向上させることも好適である。
【００５８】
図２には、原稿がセッティングされている状態を上面から見た状態が示されている。読取る原稿面を上向きの状態で、原稿４が表示部２の上に置かれ、この原稿４を挟むかたちで画像読取部３が被せられる。当然、読取り時以外でも、原稿４を挟んだままで画像読取表示装置１の搬送も可能であり、画像読取装置３が透過性のあるデバイスで構成されている場合には、原稿４の読取面が外部から視認可能である。
【００５９】
図３には、原稿４が挟まれている状態での横断面が示されている。図３から明らかなように、原稿４が画像読取部３の読取面と密着している。また、画像読取部３が湾曲柔軟性のあるシート状であることで、原稿面との密着性がより高まる。ここで図３から明らかな通り、画像読取面は外部にむき出しではないので、読取面や表示部２の表面が損傷することが無い。すなわち画像読取部３は挿入された原稿の画像読取のみならず、読取面や表示面の保護の役割も果たす。
【００６０】
次に図４を用いて画像読取と表示の処理について説明する。
【００６１】
図４には、処理ブロックが表されている。２１は装置全体を制御するためのＣＰＵ、２２はメモリ、２３は操作入力部、２４は画像読取部、２５は画像読取部２４を動作させるためのセンサ制御回路、２６は、画像読取部２４からの読取った画像情報を一時保存する画像用メモリ、２７は表示部２へ表示する画像に対して所定の色や大きさを変える画像処理部、２８は画像表示部、２９は画像表示動作を制御する表示制御部である。その他、図示はしていないが電源部もある。
【００６２】
これらの、各ブロックは表示装置２や画像入力装置３または、それらの周辺部内に配置されてよい。また、これらの全部または一部を集積回路で構成することで、装置の小型化が促進される。また、それぞれをハードウェア回路ではなく、ソフトウェアで構成することで実現しても良い。
【００６３】
動作の簡単な流れを説明する。
【００６４】
原稿４を画像読取部３と表示部２に挟みこんだ状態で、画像読取りを操作入力部２４にて指示すると、ＣＰＵ２１が対応してセンサ制御回路２５を起動し、二次元配列された光電変換素子からなる画像読取部２４が制御され、原稿４の画像が読取られる。読み取られたデータは電子データに変換された上で画像用メモリ２６へ送られ一時的に蓄積される。次いで、必要に応じて無電源時に保存可能である不揮発性メモリ等で構成されるメモリ２２で保存される。
【００６５】
読取った画像を表示する場合は、画像処理回路２７において、メモリ２２より取り出した蓄積データが表示用データに変換され、表示制御部２９へ送られる。表示制御部２９で画像表示部２８を制御する信号が生成され、画像が表示される。
【００６６】
ここで、画像用メモリ２６は、メモリ２２で兼用させることも可能である。
【００６７】
また、読取り時の照明として、表示部２を全面表示させて、原稿４の背面から光を照射し光源とすることが可能である。さらに、透過性の高い画像読取部３を用いることで、原稿４を挟んだ時に、画像読取部３の外側からの光を光源として利用することが可能である。
【００６８】
また、表示部２の光源の色を種々に変化させることで、画像読み取りの読取精度を変化させることも容易に可能である。
【００６９】
なお、画像読取部３の上面に樹脂フィルムや樹脂シートなどで形成された保護カバーを施すことも好適である。これにより運搬時などに損傷が生じるのを非常に低減させることが可能となる。
【００７０】
以上のように、画像読取部３を表示部２に被せるような画像読取表示装置とすることで、非常に小型、薄型で、可搬性に優れ、読取時に原稿の視認が容易となる効果がある。
【００７１】
（実施の形態２）
図５、図６を用いて実施の形態２について説明する。
【００７２】
図５、図６は本発明の実施の形態２における画像読取表示装置の斜視図である。４１は表示画像である。図１と同じく、表示部２、画像読取部３から構成され画像読取部３が蓋状に表示部２に被さる構造を有しており、画像読取部３の表示部２との合わせ面に二次元配列の光電変換素子からなる読取面が存在する。実施の形態２における画像読取表示装置１では、画像読取装置３が表示部２よりもその面積が小さい場合が示されている。図５にあるように表示部２の半分程度を覆うように画像読取部３が形成される場合などである。
【００７３】
このような場合には、図６に示されるように、原稿４を挟んだ状態で読み取りを実行しながら、画像読取部３で隠されていない表示部２の左側部分に読み取った画像を表示画像４１として同時表示することが可能となる。このとき、表示においてズーム拡大や縮小などを組み合わせることで、最適な表示形態を実現することも容易に可能である。勿論、等倍表示でも良く、様々な場面で原稿の読取と表示を同時に行うことが容易となる。更に、目的に合った特定のカラー処理を施した画像を表示することも可能であり、予め表示部２の画像読取部３に覆われない部分に特定の情報を表示しておいて、これと読取画像とを組み合わせて表示することも好適である。また表示部２の表示部分には、透明のカバーをかけておいて、保護カバーとすることも好適である。この保護カバーをシート状の画像読取部３と接続して一体化したものとしてもよい。このとき表示部２を十二分に覆うような構成とすることで保護機能が更に高まる結果となる。また、保護カバーを画像読取部３の外面を覆うようにまで拡大することでより効果的な保護が可能となる。
【００７４】
（実施の形態３）
図７は、本発明の実施の形態３における画像読取表示装置の斜視図である。
【００７５】
図７では画像読取部３を両面読み取りができるように発光層を真中にして光電変換素子を両面に二次元配列させたものである。このようにすることで、画像読取部３の両面で画像の読み取りが可能となる。このような、両面読取可能な画像読取部３を本や雑誌のページ内に挿入し、見開きの両面２ページを一度に読取って、表示部２上に、ページ毎に表示することも可能となる。当然、図６のように使用して、原稿の片面のみを読取ることもできる。
【００７６】
この場合、両面に原稿が存在するため内部に外部光が透過しないので、外光の影響なしで読取ることができる。また、画像読取部３が有機光電変換素子を用いた湾曲柔軟性のあるシート状のものであることで、雑誌や書籍のページに挟むことも容易である。なお、画像読取部３の大きさは、実施の形態１のように表示装置２と同じであってもよく、大きくてもよく、小さくてもよい。
【００７７】
図７には、表示部２が１つである場合が表されているが、見開きページのように構成した２つの表示部２の間に画像読取部３を設けて、どちらかの表示部２と画像読取部３の間に原稿を挟んで読取り、あるいは同時に２つの表示部２との間に複数の原稿を挟んで読取ることも可能である。
【００７８】
さらに、原稿を表示部２と画像読取部３の間に挟んで読取るだけでなく、原稿を画像読み取り部３と装置を置くテ−ブルや他の物と挟んで読取ることでもよい。
【００７９】
このように、二次元配列とした画像読取部３により一度に全体を読み取ることができ、有機光電変換素子により薄いシート状の画像読取部３を用いた画像読取表示装置とすることで、この画像読取部３の形状や読取面のバリエーションを拡張することで、使用形態のバリエーションを拡張した画像読取表示装置を実現することができる。
【００８０】
また、図７では画像読取部と表示部の側面同士を接続して、表示部２に対して画像読取部３が外枠に付属された形態となっているが、表示部２に収納部を設けて、画像読取部３をこの収納部に対して収納したり、取り出したりすることが可能となるものでも良い。この場合には、例えば、表示部２の厚み方向の側面にスリットを設けて、このスリットの大きさと画像読取部３の大きさとが一致し、スリットの一端と画像読取部３の一端とがヒンジのような回転接続部材で接続されて、回転動作で、収納と取出しが可能なようにすることも良い。収納時には、画像読取部３がスリット状の収納部に収納され、使用時に回転動作で取り出して使用する形態により、運搬時に余計な出っ張りがなく、可搬性が高まり、損傷なども防止することができるようになる。
【００８１】
（実施の形態４）
図８、図９、図１０は本発明の実施の形態４における画像読取表示装置の斜視図である。３１は遮光シートである画像読取表示装置の画像読取部３の外側に遮光シートを付加した状態が示されている。
【００８２】
図９には、原稿４を表示部２上にセットした状態が示されており、透過性の高いシート状の画像読取部３を使用することで、セットした原稿４の視認性が高くできる。しかし、読取り時に外光の影響を多く受けるので、原稿４のセットを目視確認したあとで、遮光シート３１をかぶせた後に読取を実行することで、外光の影響を受けずに読み取りが実現される。
【００８３】
図１０には遮光シートにより読取部３が覆われている状態が示されている。図１０から明らかな通り、遮光シート３１により外光の侵入がさえぎられており、画像読取時への影響を排除することが可能である。また、遮光シートは保護カバーとしての役割も有しており、保護カバーと一体化して設けることで、薄型化を損なうことなく画像読取表示装置を実現できるものである。
【００８４】
図１１は、図１０のＹ−Ｙ’に沿った断面図である。３２は画像読取表示装置接続部であり、３３は連結部である。画像読取部３は、表示部２と画像読取装置接続部３２にて接続され、遮光シート３１は、表示部２と連結部３３にて接続されている。
【００８５】
ここで、遮光シート３１は、画像読取部３と直接連結させてもよい。
【００８６】
次に、このような画像読取表示装置を用いた使用態様について説明する。
【００８７】
図１２は、本発明の実施の形態４における表示内容の正面図である。本発明の画像読取表示装置の効果的な利用形態としては、予め表示部２に表示される固定の情報と、読み取られた画像とを同一画面上に表示した上で、更にこのデータを電子データとして例えばサーバーなどに送信することなどがある。
【００８８】
ここで、４１は表示画像、４２は第一の原稿、４２ｂはバーコード情報、４３は第二の
原稿である。第二の原稿４３は第一の原稿４２の上に置かれている。本発明の画像読取表示装置１は、画像読取部３が表示部２を覆う構成であるため、原稿の画像と表示部２に予め映し出された画像の両方を同時に読取ることができる。したがって、表示部２上に画像読取表示装置１の固有情報をあらかじめ表示しておく場合には、セットされた原稿などとともに読み取られることができる。また、第一の原稿４２の上に第二の原稿４３を置いた場合には、第二の原稿が重ねられた状態で読み取られることが可能である。この固有情報には例えば、画像読取表示装置の利用者の個人情報や業務情報などが考えられ、利用者に応じて可変情報とすることができる。
【００８９】
利用態様の一つとしては、この画像読取表示装置を宅配便などにおいて利用する場合に、予め表示部２に表示する内容を社名や日付などとし、配送スケジュール表のような業務管理情報を第一の原稿４２とし、荷物の受領者による受取サインを記してもらった伝票を第二の原稿４３として、これら３種類の情報を一度に画像として読取ることが考えられる。このとき、読み取った情報をすべて電子データに変換して、送信データとしてサーバーなどに送信することで、簡単な操作で利用できる宅配送業界などにおける情報端末とすることができる。図１２には、これらの一例としての画像表示が表されている。
【００９０】
ここで、読取られた画像は、運送管理会社の管理システムへ無線や優先通信を使って送られ、送信した画像内の文字情報をＯＣＲで認識し、また、書類や伝票に記載されたバーコード情報４２Ｂを認識して、分類・記録などの各種処理を行うことが可能となる。と、同時に、表示画像４１に利用者が変更することができないような端末情報や実時間情報を表示すれば、第一の原稿４２に記載された業務管理情報と一緒に確認できるので信頼性が向上し、さらに、顧客のサインなどの第二の原稿４３も画像のまま含まれているので、追跡確認性も高い情報管理を実現できる。
【００９１】
以上のように、画像読取表示装置に通信装置を組み込み、使用形態を活用することで、効果的な情報端末として使用することが可能となるメリットがある。
【００９２】
（実施の形態５）
図１３は、本発明の実施の形態５における画像読取表示装置の構成図であり、図１３に示されるように腕につけるようなウェアラブル情報端末である。
【００９３】
表示部２に柔軟性のあるデバイスを利用した場合には、腕に巻きつける形で表示部２を装着することができる。また、画像読取部３は湾曲柔軟性のあるシート状であるので、湾曲した表示部２に合わせて被せることができ、画像読取表示装置を腕にフィットさせて装着させることができる。このとき、表示部２は柔軟性がなくても、あらかじめ腕にフィットする形で曲げられておればそれでよい。このとき、表示部２に柔軟性を持たせるには、画像読取部３と同じく有機ＥＬなどの有機素子を用いたディスプレイやフィルム液晶ディスプレイ等を用いることで実現される。これにより、腕のみならず他の部分に容易に装着することが可能となって、実施の形態４で説明したように通信装置を組み込めばウェアラブルな情報端末となり、読取画像を容易に転送できるなどのメリットがある。
【００９４】
（実施の形態６）
次に、画像読取表示装置について、他の機能を付加するバリエーションについて説明する。
【００９５】
図１４、図１５、図１６は、本発明の実施の形態６における画像読取表示装置の側面図である。６Ｍはバックライト光源であり、３Ｔはタッチパネルである。
【００９６】
図１４には、表示部２に、透過型のカラー液晶パネルデバイスが使用され、その下面に
白色発光有機ＥＬ等によるバックライト用光源が設けられている状態が示されている。このような形態にすることで、表示部２でのバックライト光源６Ｍを最大輝度の白色表示状態にすれば、原稿が片面記録のみで少しでも透過性があるものであれば（例えば、薄い伝票）、読取り時の背面照明として利用でき、読取精度を向上させることができる。特に、透過性の高い写真のネガフィルム等の読取りには効果を発揮する。
【００９７】
また、画像読取部３がモノクロの場合、照明光をＲ・Ｇ・Ｂの３回かその他複数色で分割して多数回数に時分割で読み、画像処理にて合成してカラー化を行うこともできる。
【００９８】
図１５には、画像読取部３にバックライト光源６Ｍが形成された場合が示されている。このように、発光有機ＥＬ等によるバックライト光源を画像読取部３の上面に設けることで、原稿面に対する均一な照明が可能となる。これにより読み取り精度を向上させる効果がある。ただし、外光を利用する場合やこの場合のように、読取面の背面（原稿に対しての反対面）から照射した上で、読取面からの読取りデータは原稿からの反射光から照射光に対する値を差し引いた上で利用する必要がある。なお、原稿面側からの照射のため、両面印刷された原稿でも読取ることができるメリットがある。
【００９９】
なお、原稿の部位ごとに無視できないほどの発光ばらつきがある場合は、原稿なし（黒色原稿）と白色原稿の２つの状態、または、Ｒ・Ｇ・Ｂ等の基本色原稿を読取って、事前に２次元的に補正するデータテーブルを持たせ、読取り時に都度、画像補正を行うと、画像品質向上につながる。
【０１００】
図１６には、画像読取部３の外面にタッチパネル３Ｔが設けられた状態が表されている。
【０１０１】
タッチパネルには、タッチセンサが積層されて、様々な命令処理がタッチ式で実行できる。タッチパネル３Ｔが存在することにより、透過性のある画像読取部３上でタッチパネル３Ｔを直接操作することができ、種々の命令処理を実行することができる。このとき、原稿を画像読取部３と表示部２の間に挟んで、透過性のある画像読取部３から原稿を直接見ながらタッチパネル３Ｔを走査することができるので、非常に利便性が高い。例えば、読取画像を見ながら濃淡をタッチパネルから調節するなどが可能となるなどである。
【０１０２】
また、図示していないが図１６の構成とは逆に、透明のタッチパネル３Ｔを画像読取部３の下面部に設けて、画像読取部３を表示部２に被せていない状態でキーボードのように入力する手段として用いることもできる。ただし、この場合は、タッチパネル３Ｔへ手の汚れが付着する可能性があることから、画像読取り時の画像劣化になるため、画像読取部３とタッチパネル３Ｔは区域を分離して構成した方が便利である。また、画像入力時は、原稿を挟んでタッチパネルが押されるのでキャンセルするようにするとよい。
【０１０３】
なお、本発明の実施の形態では、表示部２をパネル状としているが、パネル状でない形のＣＲＴ等の表示部２ものでもよく、また、画像読取部３は柔軟性のあるデバイスとしているが、柔軟性のない固いデバイスで構成してもよく、その場合であっても薄型で小型の画像読み取り表示装置を構成することができ、二次元配列の光電変換素子により、ラインセンサを手動で動作させるなどの処理が不要となる。
【産業上の利用可能性】
【０１０４】
以上のように、本発明にかかる画像入力表示装置は、可搬性の高い表示装置に画像入力を可能にしながら、保護カバーとしての役割にも適用でき、原稿を読取る際に、挟んで目視確認しながら行う一連の作業はマンマシンインタフェースとして高い利便性と新しい利用形態を提供できる。
【０１０５】
この構成は、携帯情報端末として有用であり、特に、名刺読取り機能を付加したＰＤＡや、電子ブックにスキャナ機能が付加させたこれまでにないような電子スクラップブック（仮称）や、運送業界における配達者やコンビニのレジで使用するような配送荷物等の伝票処理装置に、しいては、銀行窓口において取り扱う手書きサインや印鑑のある伝票などの各種書類の画像記録装置に適用できる。
【図面の簡単な説明】
【０１０６】
【図１】（ａ）本発明の実施の形態１における画像読取表示装置の斜視図、（ｂ）本発明の実施の形態１における画像読取表示装置の斜視図
【図２】本発明の実施の形態１における画像読取表示装置の正面図
【図３】図２のｘ−ｘ’線部の断面図
【図４】本発明の実施の形態１における画像読取表示装置の内部ブロック図
【図５】本発明の実施の形態２における画像読取表示装置の斜視図
【図６】本発明の実施の形態２における画像読取表示装置の斜視図
【図７】本発明の実施の形態３における画像読取表示装置の斜視図
【図８】本発明の実施の形態４における画像読取表示装置の斜視図
【図９】本発明の実施の形態４における画像読取表示装置の斜視図
【図１０】本発明の実施の形態４における画像読取表示装置の斜視図
【図１１】図１０のＹ−Ｙ’に沿った断面図
【図１２】本発明の実施の形態４における表示内容の正面図
【図１３】本発明の実施の形態５における画像読取表示装置の構成図
【図１４】本発明の実施の形態６における画像読取表示装置の側面図
【図１５】本発明の実施の形態６における画像読取表示装置の側面図
【図１６】本発明の実施の形態６における画像読取表示装置の側面図
【図１７】従来の技術における画像読取表示装置の構成図
【図１８】従来の技術における画像読取表示装置の構成図
【符号の説明】
【０１０７】
１    画像読取表示装置
２    表示部
３    画像読取部
３ｂ    原稿支え部
４    原稿
２１    ＣＰＵ
２２    メモリ
２３    走査入力部
２４    画像読取部
２５    センサ制御回路
２６    画像用メモリ
２７    画像処理回路
２８    画像表示部
２９    表示制御部
３１    保護シート
３２    画像読取表示装置接続部
３３    連結部
４１    表示画像
４２    第一の原稿
４２ｂ    バーコード情報
４３    第二の原稿
１００    画像読取表示装置
１０１    表示部
１０２    原稿
１０３    挿入部
１０４    ローラー
１０５    画像読取部
【図１】
2005115661.tif 000003
【図２】
2005115661.tif 000004
【図３】
2005115661.tif 000005
【図４】
2005115661.tif 000006
【図５】
2005115661.tif 000007
【図６】
2005115661.tif 000008
【図７】
2005115661.tif 000009
【図８】
2005115661.tif 000010
【図９】
2005115661.tif 000011
【図１０】
2005115661.tif 000012
【図１１】
2005115661.tif 000013
【図１２】
2005115661.tif 000014
【図１３】
2005115661.tif 000015
【図１４】
2005115661.tif 000016
【図１５】
2005115661.tif 000017
【図１６】
2005115661.tif 000018
【図１７】
2005115661.tif 000019
【図１８】
2005115661.tif 000020